(57)【要約】【課題】筐体と所定の部材との間に光源を配置するスペースがない場合においても、内部部品の動作状況を利用者に把握させたり、利用者に操作位置を把握させたりするための導光構造および該導光構造を備えた光ディスク再生装置を提供する。【解決手段】筐体５０を内外に貫通する孔５０ｂと、筐体５０の内壁面に沿って光を出射するＬＥＤ４０ａと、導光部材６０とを備えさせる。導光部材６０は、光の入射口６１と、筐体５０の内壁面に沿って入射口６１から孔５０ｂに向かって延びる導光部６２と、導光部６２から屈曲されて孔５０ｂを通して外部に延びる延出部６４と、導光部６２と延出部６４の屈曲部の外側の角に形成される反射面６３と、導光部６２と反射面６３と延出部６４により導光された光を外部に出射する出射口６５と、を有する。【選択図】図３
2008130192.tif 000002
【特許請求の範囲】
【請求項１】
筐体を内外に貫通する略矩形の孔と、
光ディスクを戴置するディスクトレイの幅と高さとに略一致する形状に上記筐体を内外に貫通するディスク出入口と、
上記筐体の内壁面において上記ディスク出入口および上記孔に近接して配置されて上記ディスクトレイの収納と排出を行うディスクローダと、
上記筐体の内壁面に沿って上記孔に向かって光を照射するチップＬＥＤと、
上記孔と略一致する幅を有し、上記チップＬＥＤの光を内壁面に沿って上記孔の外部へと導く導光部材とを備え、
上記導光部材は、
入射された上記光を上記内壁面に平行な面内で拡散する凹みが形成された入射口と、
上記筐体の内壁面と平行な平板として形成され、入射された光を上記孔に向かって導く導光部と、
上記孔に向かって上記導光部を略直角に屈曲した屈曲部と、
上記屈曲部から上記筐体の外まで延出された延出部と
上記屈曲部の屈曲の外側の角を斜めに切断して形成される反射面と、
チップＬＥＤが実装される基板の実装面を上記筐体の内壁面と対面させて取り付ける固定構造と、
を具備することを特徴とする光ディスク再生装置。
【請求項２】
筐体を内外に貫通する孔と、
上記筐体の内壁面に沿って光を出射する光源と、
上記光の入射口と、上記筐体の内壁面に沿って該入射口から上記孔に向かって延びるとともに上記孔を通して外部に向かって延びる導光部と、該導光部により導光された光を外部に出射する出射口と、を有する導光部材と、
を備えることを特徴とする導光構造。
【請求項３】
上記入射口は、入射された光を導光部材内部に拡散する光拡散構造を有することを特徴とする上記請求項２に記載の導光構造。
【請求項４】
上記入射口は、入射された光を上記内壁面に平行な面内で拡散する凹みが形成されることを特徴とする上記請求項２または請求項３に記載の導光構造。
【請求項５】
上記入射口には、多面的な加工が施されることを特徴とする上記請求項２〜請求項４の何れか一項に記載の導光構造。
【請求項６】
上記入射口には、シボ加工が施されることを特徴とする上記請求項２〜請求項４の何れか一項に記載の導光構造。
【請求項７】
光源が実装された基板の実装面を内壁面側に配向させて固定する固定構造を有することを特徴とする上記請求項２〜請求項６の何れか一項に記載の導光構造。
【請求項８】
上記光源は、チップＬＥＤであることを特徴とする上記請求項２〜請求項７の何れか一項に記載の導光構造。
【請求項９】
上記導光部材は、光学用透明樹脂であることを特徴とする上記請求項２〜請求項８の何れか一項に記載の導光構造。
【請求項１０】
上記孔は幅広の略矩形であり、上記導光部および上記出射口も該孔の形状に合わせて形成されることを特徴とする上記請求項２〜請求項９の何れか一項に記載の導光構造。
【請求項１１】
上記孔は幅広の略矩形であり、
上記筐体には上記孔と平行なディスク出入口が形成されており、
該ディスク出入口および上記孔の内側にはディスクローダが近接して配置されており、
上記光源は該ディスクローダの動作に応じて発光することを特徴とする上記請求項２〜請求項１０の何れか一項に記載の導光構造。
【発明の詳細な説明】
【技術分野】
【０００１】
本発明は、光ディスク再生装置および導光構造に関する。
【背景技術】
【０００２】
従来、ディスクドライブのディスク出入口には、夜間使用時の利便性を考慮してディスク出入口付近やディスクトレイを光らせる照明が設けられることがあった。
【０００３】
即ち、本体内の回路基板に実装した光源の光を導光部材を介してディスク出入口端部に誘導し、ディスク出入口端部を発光させる技術が知られている（例えば特許文献１等。）。また、ディスクトレイを照射する光源およびプリズムを設けて、ディスクトレイに設けた反射面からの反射光をディスクトレイ内部で導光してディスクガイドを光らせる技術についても知られている（例えば特許文献２等。）。
【特許文献１】特開２００３−０２２６６７号公報
【特許文献２】特開２００４−０１４００４号公報
【発明の開示】
【発明が解決しようとする課題】
【０００４】
しかしながら、近年の省スペース化や高機能化の流れを受けて電気電子製品は小型化が要求されている。これはディスクドライブであっても例外ではなく、筐体内部の空間の減少のために、ディスクドライブの筐体とディスクローダの間には数ｍｍ程度の隙間しか確保できない場合がある。このような場合であっても、夜間のディスク出入口視認を容易にしたり、ディスクトレイの動作を示したりして利用者の利便性を向上させる必要が無くなるわけではない。無論、電気電子製品であっても、所定の操作位置等の視認容易性や、内部部品の動作状況を利用者に把握させるための照明を、少ない内部スペースに設けなければならない場合があるのは同様である。
【０００５】
上述した特許文献１記載の技術は、筐体とディスクローダの間に複数の部材を介在させるものであり、筐体とディスクローダの間に数ｍｍ程度のスペースしかない場合には利用できない。また、特許文献２記載の技術も、筐体とディスクトレイの間にプリズムや光源を設置する隙間を要し、かつ光源からの光がディスクトレイに照射される必要があるためディスクユニットと筐体の間にスペースを必要とする。
【０００６】
本発明は、上記課題に鑑みてなされたもので、筐体と所定の部材との間に光源を配置するスペースがない場合においても、内部部品の動作状況を利用者に把握させたり、利用者に操作位置を把握させたりするための導光構造および該導光構造を備えた光ディスク再生装置の提供を目的とする。
【課題を解決するための手段】
【０００７】
上記課題を解決するために本発明の導光構造では、筐体を内外に貫通する孔と、上記筐体の内壁面に沿って光を出射する光源と、上記光の入射口と、上記筐体の内壁面に沿って該入射口から上記孔に向かって延びるとともに上記孔を通して外部に向かって延びる導光部と、該導光部により導光された光を外部に出射する出射口と、を有する導光部材と、を備える構成としてある。
上記構成において、上記光源から上記筐体の内壁面に沿って出射された光が上記導光部材の入射口に入射され、この入射された光を上記導光部が出射口まで導光し、出射口が光を筐体の外部に出射する。即ち、筐体の内壁面に沿って導光するため、筐体の内部において内壁面沿いにしかスペースのない狭所部であっても、内部で発生させた光をこの狭所部の外部に導光する構造を形成することが可能となる。
【０００８】
そして、上記入射口は、入射された光を導光部材内部に拡散する光拡散構造を有する構成としてもよい。即ち、光が導光部材内部に拡散されるため、出射口の全面から光が出射されて出射口の全面が光ることになる。
【０００９】
さらに、上記入射口は、入射された光を上記内壁面に平行な面内で拡散する凹みが形成される構成としてもよい。即ち、入射口に凹みが形成されると、この凹みに入射された光は凹みの形状に併せて屈折するため、光が導光部材内部に拡散される。よって出射口の全面から光が出射されて出射口の全面が光ることになる。
【００１０】
さらに、上記入射口には、多面的な加工が施される構成としてもよい。即ち、入射口に多面的な加工が施されると、入射された光が導光部内で散乱状態とすることが可能となる。よって出射口の全面から光が出射されて出射口の全面が光ることになる。
【００１１】
さらに、上記入射口には、シボ加工が施される構成としてもよい。即ち、入射口にシボ加工が施されると、入射された光が導光部内で不規則に散乱し、出射口殻出射される光を出射口面内に分散されることになる。従って、出射口が全体的に光ることになる。
【００１２】
さらに、光源が実装された基板の実装面を内壁面側に配向させて固定する固定構造を有する構成としてもよい。即ち、基板の実装面を内壁面側に配向させることにより、ＬＥＤの光を筐体の内部に漏れにくくすることが出来る。
【００１３】
さらに、上記光源は、チップＬＥＤとすると好適である。即ち、筐体内部にスペースの少ない機器において、実装部品としてはチップ型の素子のほうが素子高さが低く、スペースの削減に寄与する。
【００１４】
さらに、上記導光部材は、光学用透明樹脂であると好適である。光学用透明樹脂を用いることにより、加工が容易となる。
【００１５】
さらに、上記孔は幅広の略矩形であり、上記導光部および上記出射口も該孔の形状に合わせて形成される構成としてもよい。即ち、幅広の出射口とすることにより、利用者が視認しやすい出射口となる。
【００１６】
さらに、上記孔は幅広の略矩形であり、上記筐体には上記孔と平行なディスク出入口が形成されており、該ディスク出入口および上記孔の内側にはディスクローダが近接して配置されており、上記光源は該ディスクローダの動作に応じて発光する構成としても構わない。即ち、ディスクローダと筐体とが近接して隙間が少ない構成であっても本発明であれば適用可能であり、ディスクローダ付近の隙間少ない部位の筐体にも、ディスクローダの動作に合わせて発光する構造を設けることが可能となる。
【００１７】
さらに、より具体的な構成例として、筐体を内外に貫通する幅広で略矩形の孔と、上記孔と平行に上記筐体を内外に貫通するディスク出入口と、上記ディスク出入口および上記孔の内側に近接して配置されるディスクローダと、上記筐体の内壁面に沿って上記孔に向かって光を照射するチップＬＥＤと、上記孔と略一致する幅を有し、上記チップＬＥＤの光を内壁面に沿って上記孔の外部へと導びく導光部材とを備え、上記導光部材は、入射された上記光を上記壁面に平行な面内で拡散する凹みが形成された入射面と、上記筐体と平行な平板として形成され、入射された光を上記孔に向かって導く平板部と、上記孔に向かって上記平板部を略直角に屈曲した屈曲部と、上記屈曲部から上記筐体の外まで延出された延出部と上記屈曲部の屈曲の外側の角を斜めに切断して形成される反射面と、上記筐体の内壁面から所定距離離して該内壁面と対面する側に上記チップＬＥＤが実装される基板の実装面を上記筐体の内壁面と対面させて取り付ける基板取付構造と、を具備する構成としても構わない。
【発明の効果】
【００１８】
以上説明したように本発明によれば、狭所部であっても、内部で発生させた光をこの狭所部の外部に導光する構造を形成することが可能となる。
また請求項３〜６にかかる発明によれば、出射口の全面から光が出射されて出射口の全面が光ることになる。
そして請求項７にかかる発明によれば、ＥＤの光を筐体の内部に漏れにくくすることが出来る。
さらに請求項８にかかる発明によれば、スペースの削減に寄与する。
また請求項９にかかる発明によれば、導光部材の加工が容易となる。
そして請求項１０にかかる発明によれば、利用者が視認しやすい出射口となる。
さらに、請求項１１にかかる発明によれば、ディスクローダ付近の隙間少ない部位の筐体にも、ディスクローダの動作に合わせて発光する構造を設けることが可能となる。
さらに請求項１のような、より具体的な構成において、上述した請求項２〜請求項１１の各発明と同様の作用を奏することはいうまでもない。
【発明を実施するための最良の形態】
【００１９】
以下、下記の順序に従って本発明の実施形態を説明する。
（１）コンボ型テレビジョンの構成：
（２）ディスクローダ周辺の位置関係：
（３）導光部材の構成：
（４）まとめ：
【００２０】
（１）コンボ型テレビジョンの構成： 
以下、図１〜図６を参照して本発明の実施の形態について説明する。図１は本発明を適用した光ディスク再生装置を備えたコンボ型テレビジョン１００の電気的構成を示すブロック図である。本実施形態では光ディスク再生装置としてコンボ型テレビジョンを採用して説明するが、無論テレビ放送を受信して再生する機能は必須ではなく、光ディスクを再生する機能のみであっても構わないし、光ディスクを記録する機能を有してもよい。また、導光構造を有する電気電子機器としては、光ディスク再生装置に限るものではなく、家電や情報処理機器等の内部スペースの確保が難しい電気電子機器であればいかなるものであってもよい。
【００２１】
図１において、コンボ型テレビジョン１００は、光ディスク再生機能とテレビ放送受信機能とを備えるテレビ受信機であり、チューナ１０と、セレクタ１２と、映像信号処理部１４と、ディスプレイ１６と、マイコン２０と、ディスクドライブ３０と、ＬＥＤ４０と、から構成される。チューナ１０とセレクタ１２と映像信号処理部１４とディスプレイ１６とマイコン２０とディスクドライブ３０はシリアル通信バスであるＩＩＣバスで接続されており、互いに通信可能となっている。
マイコン２０は、内部に、ＣＰＵ、ＲＯＭ、ＲＡＭ、Ｉ／Ｏを備えており、ＲＡＭをワークエリアとしつつＲＯＭに記憶されたプログラムをＣＰＵにより実行してコンボ型テレビジョン１００全体を制御する。また、マイコン２０はセレクタ１２を切換制御して、映像信号処理回路に対する信号の入力元をチューナとディスクドライブとで切り換える。音声信号処理部については図示を省略してあるが、映像信号処理部と同様にマイコン２０の制御に従ってセレクタ１２により信号入力元が切り換えられる。
【００２２】
チューナ１０は、テレビジョン放送信号の入力源としてＵ／Ｖアンテナ１０ａを接続可能であり、マイコン２０の制御によりテレビ放送帯域に対応した所望周波数の信号に同調しつつ受信するとともに、受信した信号から所要の信号だけを選択して高周波増幅し、中間周波信号に変換して出力する。中間周波信号に含まれる映像信号は、例えばＮＴＳＣであれば、輝度信号と色信号と同期信号とを合成して同時に扱えるようにしたコンポジット信号である。
【００２３】
ディスクドライブ３０は、マイコン２０の制御に従ってＣＤやＤＶＤ等の光ディスクの記録面に再生光を照射し、受光した反射光から光ディスクに記録された情報を再生する。再生された映像信号や音声信号は、映像信号処理部が解釈可能な信号フォーマットへの変換を行うとともに所定の信号増幅を行ってセレクタ１２に出力される。また、ディスクドライブ３０は、光ディスクを戴置するためのディスクトレイを有し、このディスクトレイをコンボ型テレビジョン１００の筐体に形成されるディスク出入口から出入させる駆動機構を備える。無論、スロットイン方式のディスクドライブを採用しても構わない。
【００２４】
映像信号処理部１４は、画素数変換回路と、画質調整回路と、出力処理回路とを有しており、セレクタ１２から入力される映像信号に所定の信号処理を行って駆動ドライバに出力する。画素数変換回路は映像信号が入力されると、この映像信号に対してスケーリング処理を行いつつ、液晶パネルに表示される１画面分のＲＧＢ信号を生成する。画質調整回路は、画素数変換回路によってスケーリング処理が施されたＲＧＢ信号に対して、ブライトネス、コントラスト、黒バランスおよび白バランス、シャープネス等の各種調整を行う。出力処理回路は、画質調整が施されたＲＧＢ信号に対して、ガンマ補正、ディザ処理等を行うとともに、背景信号、ＯＳＤ信号、ブランキング信号等を付加してディスプレイに出力し、画像を表示させる。
【００２５】
ディスプレイ１６は、例えば液晶パネルとこの液晶パネルを駆動する駆動回路とから構成され、駆動回路が映像信号処理部１４から入力される映像信号に基づいて駆動信号を生成し、この駆動信号により液晶パネルの各画素を駆動する。無論、ディスプレイ１６としては、プラズマディスプレイパネルと駆動回路、垂直偏向回路や水平偏向回路等により駆動される受像管、スクリーンに投影する映像光を生成するＤＭＤやカラーホイールおよびこれらを駆動する制御回路、等も考えられる。
【００２６】
（２）ディスクローダ周辺の位置関係： 
次に、図２を参照してコンボ型テレビジョン１００の筐体と、ディスクドライブ３０のディスクローダ３０ａと、の位置関係を説明する。図２はディスクローダ３０ａの左右方向略中心にて、ディスクドライブ３０から筐体５０にかけて装置の上下前後方向に切断して示した断面図である。
【００２７】
筐体５０とディスクドライブ３０との間隔は数ｍｍ（より具体的には４〜６ｍｍ程度）に近接して配置されており、その間に導光部材６０と覆い板７０とが配置されている。また導光部材６０の下端はディスクドライブ３０の下端よりも下まで延びており、この導光部材６０の下端に隣接してＬＥＤ４０ａが配置されている。
【００２８】
導光部材６０は、左右に広く前後に薄い形状であり、より具体的には、前後の厚みはディスクドライブ３０と筐体５０との間隔以内（本実施形態では２．５ｍｍ程）に形成され、左右の幅はディスク出入口５０ａの幅よりも狭く（本実施形態ではディスク出入口の略１／３の４０ｍｍ程）形成される。またディスクドライブ３０の下端よりも下から筐体５０の壁面に沿って上に延び、筐体５０に形成される孔５０ｂの後方まで延びると前方に屈曲して孔５０ｂを通って筐体５０表面まで延びて筐体５０の外部に露出している。
【００２９】
孔５０ｂは導光部材６０の幅に略一致する幅と、導光部材６０の厚みに略一致する高さを有する略矩形であり、ディスク出入口５０ａの近傍（本実施形態では下近傍）に形成される。無論、孔５０ｂは導光部材６０を通過可能とするため導光部材の幅や厚みよりは僅かに大きな幅と高さとに形成される。
【００３０】
また、ディスク出入口５０ａはディスクローダ３０ａにより収排されるディスクトレイを通過可能な幅と高さの孔として筐体５０に形成される。このディスク出入口５０ａと導光部材６０との間には筐体５０の内壁面から後方に向かって立つリブ５０ｅが形成されており、導光部材６０から漏れる光がディスクトレイの側に通過しないようにする。また、リブ５０ｅの後端部に接触する覆い板７０を筐体５０の内壁面に略平行に配置してもよい。即ちリブ５０ｅと覆い板７０とで導光部材６０の上方と後方とを囲って導光部材６０空漏れる光がディスクドライブ３０側に到達しないようにする。即ち、ディスクトレイの移動経路に対して導光部材６０の漏れ光が到達しなくなり、導光部材６０を通過して後述する出射口６５から出射する光のコントラストを高めることが出来る。
【００３１】
光源としてのＬＥＤ４０ａは基板４０に実装されており、この基板４０は後述する基板固定用スペース６６に固定されている。このとき基板４０は実装面を筐体５０の内壁面に配向して配置されるため、ＬＥＤ４０ａも筐体５０の内壁面に対面して配置されることになり、ディスクドライブ３０側への光漏れをより低減できる。また、ＬＥＤ４０ａをチップＬＥＤとすると配置スペースを低減することが可能となる。このとき基板４０に実装されるＬＥＤ以外の素子もチップ型素子など、素子の高さが低いものにすると好適である。
【００３２】
（３）導光部材の構造： 
次に、図３〜図６を参照して導光部材６０の形状、およびその取付構造についてより詳細に説明する。図３は導光部材６０を筐体５０に取り付けて示した斜視図、図４は導光部材６０の平面図、図５の（ａ）は導光部材６０の側面図、図５の（ｂ）は導光部材６０の左右方向略中心にて上下前後方向に切断して（図４のＹＡ−ＹＡ断面）示した断面図、図６は基板４０と導光部材６０と筐体５０の位置関係を示す平面図である。
【００３３】
導光部材６０は、光を透過可能な光学用透明樹脂で作成され、入射口６１と、導光部６２と、反射面６３と、延出部６４と、出射口６５と、基板固定用スペース６６と、ヒレ６７ａ，６７ｂと、ネジ穴６８ａ，６８ｂと、から構成される。
【００３４】
入射口６１は、導光部材６０の端面に光透過可能な平板として形成され、基板４０のＬＥＤ４０ａの発光方向がこの入射口６１に向くように配置される。また、導光部６２はこの入射口６１から連続して形成され、入射口６１から入射された光を反射面６３の方向に導光する。延出部６４は導光部６２から略直角に屈曲されており、この屈曲部の外側の角は、導光部６２の面に対して４５度前後の角を成す平面状に斜めにカットされている。このカットされた平面が反射面６３を形成する。反射面６３で反射された光は延出部６４に進行することになる。延出部６４は筐体５０の外側面と略一致する面で終端されており、この終端面が出射口６５を形成する。
【００３５】
本実施形態では、導光部６２と延出部６４とが略直角に屈曲されるため、反射面６３と導光部６２の成す角度を４５度前後としたが、４５度以外にも様々な角度を採用可能である。目安としては、導光部６２と延出部６４の成す角をαとすると、およそα／２前後の値が好適である。また、導光部６２と反射面６３と延出部６４とは、いずれも導光する部位であるため、まとめて導光部と称しても構わない。
【００３６】
この導光部６２の左右両端と、下端において入射口６１の形成された中央部を除く部位からは、導光部６２から垂直に立ち上がる立壁６９ａ，６９ｂ，６９ｃがそれぞれ形成される。導光部６２の左右両端に形成される立壁６９ａ，６９ｂはディスクドライブ３０と干渉しないように、ディスクドライブ３０下端よりも下となる位置より下側に形成される。これら立壁６９ａ，６９ｂ，６９ｃはディスクドライブ３０と干渉しない所定高さに形成される。左の立壁６９ａは所定高さから左に張り出すヒレ６７ａが形成され、右の立壁６９ｂからは所定高さから右に張り出すヒレ６７ｂが形成される。また下の立壁６９ｃは、中央部において筐体５０の内壁面との間に所定長さのスペースを残しつつ左右に連続されて前方に凹みがくる凹側に形成される。
【００３７】
ヒレ６７ａ，６７ｂの略中央部にはネジ挿入用の穴が形成され、このネジ穴に一致するネジ穴を持つボス５０ｃ，５０ｄがそれぞれ筐体５０の内壁面と一体に形成される。即ち、ヒレ６７ａ，６７ｂのネジ穴にネジを通してボス５０ｃ，５０ｄに対してネジ止めすることにより、導光部材６０を筐体５０に対して固定することが出来る。
【００３８】
また、立壁６９ｃの左右方向中央部の下側面には、前から後に向かってネジを挿入するネジ穴６８ａ，６８ｂが左右に所定の間隔を空けて形成される。つまりネジ穴６８ａ，６８ｂは立壁６９ｃの筐体５０内壁面側からネジを挿入する穴である。基板４０には、このネジ穴６８ａ，６８ｂに対応する位置に穴が形成されており、基板４０の実装面を筐体５０側に向けて立壁６９ｃの凹み部分に配置し、ネジ穴６８ａ，６８ｂと基板４０の穴とを一致させ、筐体５０の側から後方に向かってネジ止めすると導光部材６０の下部の基板固定用スペース６６に基板４０が固定される。この基板４０の固定は、導光部材６０を筐体５０に固定する前に行うと固定作業が容易である。即ち、立壁６９ｃとネジ穴６８ａ，６８ｂがＬＥＤ４０ａが実装された基板４０の実装面を内壁面側に配向させて固定する固定構造を構成する。
【００３９】
即ち、ＬＥＤ４０ａから入射口６１に入射された光は、導光部６２を進行して反射面６３で延出部６４方向に反射され、延出部６４にて反射された光が延出部６４を進行して出射口６５から出射されて、筐体５０の外部で出射口６５を見たユーザが、ＬＥＤ４０ａの光を視認可能となる。
【００４０】
ところで入射口６１は、光拡散構造６１ａ〜６１ｃが形成されてもよい。光拡散構造を形成するとＬＥＤ４０ａから入射する光が導光部６２内の左右方向に分散し、出射口６５から出射する光も左右方向の全体に分散した状態となる。即ち、有限個のＬＥＤによって出射口６５の全体を比較的均一に発光させることが可能となる。以下、光拡散構造の具体的な構造例を挙げて説明する。
【００４１】
光拡散構造の第一の形態として、ＬＥＤ４０ａの光束の幅寄りも広い幅となる湾曲面を設けることが考えられる。この湾曲面は、ＬＥＤ４０の光束を左右方向に入射口６１を導光部６２に向けて窪ませた形状であり、この湾曲面に入射された光を扇状に導光部６２内に拡散する。
【００４２】
光拡散構造の第二の形態として、入射口６１に多面的なカットを施してもよい。多面的なカットとしては例えばダイヤモンドカット状のものであり、入射された光を規則的に散乱させる構造である。無論、第一の形態の湾曲面と組み合わせてもよい。
【００４３】
光拡散構造の第三の形態として、入射口６１にシボ加工を施してもよい。無論、第一の形態の湾曲面と組み合わせてもよい。
【００４４】
（４）まとめ： 
つまり、筐体５０を内外に貫通する孔５０ｂと、筐体５０の内壁面に沿って光を出射するＬＥＤ４０ａと、導光部材６０とを備えさせる。導光部材６０は、光の入射口６１と、筐体５０の内壁面に沿って入射口６１から孔５０ｂに向かって延びる導光部６２と、導光部６２から屈曲されて孔５０ｂを通して外部に延びる延出部６４と、導光部６２と延出部６４の屈曲部の外側の角に形成される反射面６３と、導光部６２と反射面６３と延出部６４により導光された光を外部に出射する出射口６５と、を有する。これにより、筐体と所定の部材との間に光源を配置するスペースがない場合においても、内部部品の動作状況を利用者に把握させたり、利用者に操作位置を把握させたりするための導光構造および該導光構造を備えた光ディスク再生装置を提供可能となる。
【００４５】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４６】
【図１】コンボ型テレビジョンの電気的構成を示すブロック図である。
【図２】ディスクローダの左右方向略中心にて、ディスクドライブから筐体にかけて装置の上下前後方向に切断して示した断面図である。
【図３】導光部材を筐体に取り付けて示した斜視図である。
【図４】導光部材の平面図である。
【図５】導光部材の側面図および導光部材の左右方向略中心にて上下前後方向に切断して示した断面図である。
【図６】基板と導光部材と筐体の位置関係を示す平面図である。
【符号の説明】
【００４７】
１０…チューナ、１０ａ…Ｕ／Ｖアンテナ、１２…セレクタ、１４…映像信号処理部、１６…ディスプレイ、２０…マイコン、３０…ディスクドライブ、３０ａ…ディスクローダ、４０…基板、４０ａ…ＬＥＤ、５０…筐体、５０ａ…ディスク出入口、５０ｂ…孔、５０ｃ…ボス、５０ｄ…ボス、５０ｅ…リブ、６０…導光部材、６１…入射口、６１ａ〜６１ｃ…光拡散構造、６２…導光部、６３…反射面、６４…延出部、６５…出射口、６６…基板固定用スペース、６７ａ…ヒレ、６７ｂ…ヒレ、６８ａ…ネジ穴、６８ｂ…ネジ穴、６９ａ…立壁、６９ｂ…立壁、６９ｃ…立壁、７０…覆い板、１００…コンボ型テレビジョン
【図１】
2008130192.tif 000003
【図２】
2008130192.tif 000004
【図３】
2008130192.tif 000005
【図４】
2008130192.tif 000006
【図５】
2008130192.tif 000007
【図６】
2008130192.tif 000008